【手続補正書】
【提出日】平成20年3月10日(2008.3.10)
【手続補正１】
【補正対象書類名】特許請求の範囲
【補正対象項目名】請求項１
【補正方法】変更
【補正の内容】
【請求項１】
インナーリンクプレートよりブシュを一部突出してブシュ突出部を形成し、該突出部を囲むようにかつインナーリンクプレートとアウターリンクプレートとの間に挟持されるようにリング状のシール部材を配置し、
前記シール部材は、自然状態における断面が十字形状からなり、中央基部と、該中央基部から内径方向に延びる第１のリップ部と、前記中央基部から外径方向に延びる第２のリップ部と、前記中央基部から左右方向に延びる第３及び第４のリップ部とを有し、
前記第１のリップ部を、前記ブシュ突出部先端と前記アウターリンクプレートとの間に配置した状態で、アウターリンクプレートをインナーリンクプレートに接近する方向に移動して、前記シール部材が、前記ブシュ突出部との接触に基づいて生じる回転モーメントにより捩られ、断面略々Ｘ字状に変形して前記インナーリンクプレートと前記アウターリンクプレートとの間に挟持されてなる、シールチェーンにおいて、
自然状態において、前記第１のリップ部は、円弧面又はそれに近い曲面により形成される断面円形又はそれに近い形状からなり、
前記第３及び第４のリップ部は、鏡面対称からなり、その内径側端面がシール部材の径方向に対して略々直交する方向に延び、かつその外径側端面が先端部より前記中央基部側の方が幅広となるように形成され、
前記シール部材の前記中央基部の対角線距離が、前記インナーリンクプレートと前記アウターリンクプレートとのクリアランスの０．８〜１．０の範囲内にある、
ことを特徴とするシールチェーン。
【手続補正２】
【補正対象書類名】特許請求の範囲
【補正対象項目名】請求項７
【補正方法】変更
【補正の内容】
【請求項７】
インナーリンクプレートよりブシュを一部突出し、該突出部を囲むようにかつインナーリンクプレートとアウターリンクプレートとの間に挟持されるようにリング状のシール部材を配置し、
前記シール部材は、自然状態における断面が十字形状からなり、中央基部と、該中央基部から内径方向に延びる第１のリップ部と、前記中央基部から外径方向に延びる第２のリップ部と、前記中央基部から左右方向に延びる第３及び第４のリップ部とを有し、
自然状態において、前記第１のリップ部は、円弧面又はそれに近い曲面により形成される断面円形又はそれに近い形状からなり、
前記第３及び第４のリップ部は、鏡面対称からなり、その内径側端面がシール部材の径方向に対して略々直交する方向に延び、かつその外径側端面が先端部より前記中央基部側の方が幅広となるように形成され、
前記シール部材の前記中央基部の対角線距離が、前記インナーリンクプレートと前記アウターリンクプレートとのクリアランスの０．８〜１．０の範囲内にあり、
前記第１のリップ部を、前記ブシュ突出部先端と前記アウターリンクプレートとの間に配置した状態で、アウターリンクプレートをインナーリンクプレートに接近する方向に移動して、前記シール部材が、前記ブシュ突出部との接触に基づく回転モーメントにより捩られ、断面略々Ｘ字状に変形して前記インナーリンクプレートと前記アウターリンクプレートとの間に挟持される、
ことを特徴とするシールチェーンの製造方法。
【手続補正３】
【補正対象書類名】明細書
【補正対象項目名】０００４
【補正方法】変更
【補正の内容】
【０００４】
図７は、自然状態にある上記シール部材３を示す断面図で、（ａ），（ｂ）は、それぞれ異なるものである。図７（ａ）のシール部材３１は、内径方向に垂下する幅広の半円状の第１のリップ部３１ａ、同幅にて外径方向に延びる第２のリップ部３１ｂ、及びこれら第１及び第２のリップ部３１ａ，３１ｂから左右横方向に延びる幅狭の第３及び第４のリップ部３１ｃ，３１ｄを有しており、全体で断面略十字状に形成されており、かつ第１のリップ部３１ａの先端部は半円からなる円弧形状ｒ１ａにて構成され、また各リップ部の接続部分は所定円弧形状ｒにて構成されている。
【手続補正４】
【補正対象書類名】明細書
【補正対象項目名】０００５
【補正方法】変更
【補正の内容】
【０００５】
図７（ｂ）のシール部材３２は、内径方向に垂下する断面略円形状の第１のリップ部３２ａを有すると共に、外径方向及び左右横方向にそれぞれ同幅の第２のリップ部３２ｂ，第３のリップ部３２ｃ及び第４のリップ部３２ｄを有している。従って、該シール部材３２は、その第１のリップ部３２ａが円弧形状ｒ２ａにて構成され、かつ第１のリップ部３２ａと第３及び第４のリップ部３２ｃ，３２ｄとの接続部分は凹状に構成された円弧形状ｒ’にて構成され、また第２のリップ部３２ｂと第３及び第４のリップ部３２ｃ，３２ｄとの接続部分は所定円弧形状ｒにて構成されている。
【手続補正５】
【補正対象書類名】明細書
【補正対象項目名】０００６
【補正方法】変更
【補正の内容】
【０００６】
上記従来の技術によるシール部材３１，３２の第３及び第４のリップ部３１ｃ，３１ｄ及び３２ｃ，３２ｄは、いずれのものも、第１及び第２のリップ部３１ａ，３１ｂ又は３２ａ，３２ｂと比較的小径の円弧形状ｒ，ｒ’で接続した位置から同じ幅ｂ１，ｂ２で左右方向に所定長さ延びており、中心線ａ−ａに対して略々対称に形成されている。
【手続補正６】
【補正対象書類名】明細書
【補正対象項目名】０００８
【補正方法】変更
【補正の内容】
【０００８】
ところで、シールチェーン１では、インナーリンクプレート６とアウターリンクプレート８との間にシール部材３１又は３２を挟むため、シールなしのノンシールチェーンに比して、インナーリンクプレートとアウターリンクプレートとのクリアランスを大きくとる必要がある。従って、上記シールチェーンは、上記大きなクリアランスの分だけピンが長くなって曲り易くなり、同じピン径及び同じリンクプレートを用いたチェーンであっても、ノンシールチェーンに比して引張り強度が小さくなる。
【手続補正７】
【補正対象書類名】明細書
【補正対象項目名】００１３
【補正方法】変更
【補正の内容】
【００１３】
上述した第３のリップ部３２ｃが同じ幅ｂ２からなる上記シール部材３２の形状では（シール部材３１も同様）、アウターリンクプレート８１からの押圧力は、第３のリップ部３２ｃに平行な分布荷重として作用し、その合力がシール部材３２の中心部に矢印Ｆで示すように作用するが、該合力に基づくシール部材３２の回転モーメントは比較的小さく、上記隙間ｇが小さい場合、シール部材３２が上記第３のリップ部３２ｃを引き延ばすエネルギーに抗して回転する前に、第４のリップ部３２ｄの先端面ｋ１がｋ２に示すようにインナーリンクプレート６に接触して、シール部材３２’に示すように、充分に回転しないまま、第３及び第４のリップ部３２ｃ，３２ｄの先端面ｋ２，ｓ２をインナーリンクプレート６及びアウターリンクプレート８に圧接してしまうことがある。この際、上記シール部材３２は、その第１のリップ部３２ａがブシュ突出部先端面ｆに当接して、該当接部を支点としたモーメントを生じるが、該第１のリップ部３２ａは変形しやすく、実質的にシール部材３２を捩ろうとする力は、中央基部３２ｅに生じる支点ｅに対する回転モーメントＦ・ｌを基本として生じる。そして、先端面から中央基部３２ｅに向けて同じ幅ｂ２からなる第３及び第４のリップ部３２ｃ，３２ｄでは、シール部材３２’の中央基部３２ｅに作用する支点ｅに対する回転モーメント（Ｆｌ）は、極めて小さく、シール部材３２’は、アウター及びインナーの両リンクプレート８，６の間に十字形状のまま押し潰された状態となり、かつこの状態では、第３及び第４のリップ部３２ｃ，３２ｄからインナー及びアウターの両リンクプレーと６，８に作用する反力は、内径側及び外径側でバランスされ、該十字形状のままで安定してしまう。このようなシール部材３２’が少数でも介在すると、上述したシール機能によるチェーンの耐摩耗性の保持とリップ部によるチェーンの屈曲性の保持との両機能をバランスしたＸ形状特有のシール部材を有するシールチェーンを得ることができなくなる。
【手続補正８】
【補正対象書類名】明細書
【補正対象項目名】００１５
【補正方法】変更
【補正の内容】
【００１５】
上記課題を解決するため、本発明は、インナーリンクプレート（１６）よりブシュ（１７）を一部突出してブシュ突出部を形成し、該突出部（１７ａ）を囲むようにかつインナーリンクプレートとアウターリンクプレートとの間に挟持されるようにリング状のシール部材（１３）を配置し、
前記シール部材（１３１，１３２）は、自然状態における断面が十字形状からなり、中央基部（１３ｅ）と、該中央基部から内径方向に延びる第１のリップ部（１３ａ）と、前記中央基部から外径方向に延びる第２のリップ部（１３ｂ）と、前記中央基部から左右方向に延びる第３及び第４のリップ部（１３ｃ）（１３ｄ）とを有し、
前記第１のリップ部（１３ａ）を、前記ブシュ突出部（１７ａ）先端（ｆ）と前記アウターリンクプレート（１８）との間に配置した状態で、アウターリンクプレート（１８）をインナーリンクプレート（１６）に接近する方向に移動して、前記シール部材（１３）が、前記ブシュ突出部との接触に基づいて生じる回転モーメントにより捩られ、断面略々Ｘ字状に変形して前記インナーリンクプレート（１６）と前記アウターリンクプレート（１８）との間に挟持されてなる、シールチェーンに関する。
【手続補正９】
【補正対象書類名】明細書
【補正対象項目名】００１６
【補正方法】変更
【補正の内容】
【００１６】
そして、自然状態において、前記第１のリップ部（１３ａ）は、円弧面（ｒ１）又はそれに近い曲面により形成される断面円形又はそれに近い形状からなり、
前記第３及び第４のリップ部（１３ｃ，１３ｄ）は、鏡面対称からなり、その内径側端面（ｑ）がシール部材の径方向（Ｏ−Ｏ）に対して略々直交する方向に延び、かつその外径側端面（ｕ）が先端部（ｓ）より前記中央基部（１３ｅ）側の方が幅広（ｂ＜ｂｎ）となるように形成され、
前記シール部材の前記中央基部（１３ｅ）の対角線距離（ｚ）が、前記インナーリンクプレートと前記アウターリンクプレートとのクリアランス（ｉ）の０．８〜１．０の範囲内にある、ことを特徴とする。
【手続補正１０】
【補正対象書類名】明細書
【補正対象項目名】００１７
【補正方法】変更
【補正の内容】
【００１７】
なお、上記第１のリップ部１３ａは、断面円形に限らず、楕円，長円，小判形等の円に近い形状のものも含まれ、また第３及び第４のリップ部１３ｃ，１３ｄの外径側端面は、テーパ面等の直線又は半径の大きな円弧面等の曲線が含まれ、また先端面から中央基部に向う途中から急に幅広となるものも含まれる。
【手続補正１１】
【補正対象書類名】明細書
【補正対象項目名】００１８
【補正方法】変更
【補正の内容】
【００１８】
本発明に係るシールチェーンの製造方法は、インナーリンクプレート（１６）よりブシュ（１７）を一部突出し、該突出部（１７ａ）を囲むようにかつインナーリンクプレートとアウターリンクプレートとの間に挟持されるようにリング状のシール部材（１３）を配置し、
前記シール部材（１３１，１３２）は、自然状態における断面が十字形状からなり、中央基部（１３ｅ）と、該中央基部から内径方向に延びる第１のリップ部（１３ａ）と、前記中央基部から外径方向に延びる第２のリップ部（１３ｂ）と、前記中央基部から左右方向に延びる第３及び第４のリップ部（１３ｃ）（１３ｄ）とを有し、
自然状態において、前記第１のリップ部（１３ａ）は、円弧面（ｒ１）又はそれに近い曲面により形成される断面円形又はそれに近い形状からなり、
前記第３及び第４のリップ部（１３ｃ）（１３ｄ）は、鏡面対称からなり、その内径側端面（ｑ）がシール部材の径方向（Ｏ−Ｏ）に対して略々直交する方向に延び、かつその外径側端面（ｕ）が先端部（ｓ）より前記中央基部（１３ｅ）側の方が幅広（ｂ＜ｂｎ）となるように形成され、
前記シール部材の前記中央基部（１３ｅ）の対角線距離（ｚ）が、前記インナーリンクプレートと前記アウターリンクプレートとのクリアランス（ｉ）の０．８〜１．０の範囲内にあり、
前記第１のリップ部（１３ａ）を、前記ブシュ突出部（１７ａ）先端（ｆ）と前記アウターリンクプレート（１８）との間に配置した状態で、アウターリンクプレート（１８）をインナーリンクプレート（１６）に接近する方向に移動して、前記シール部材（１３）が、前記ブシュ突出部との接触に基づく回転モーメントにより捩られ、断面略々Ｘ字状に変形して前記インナーリンクプレート（１６）と前記アウターリンクプレート（１８）との間に挟持される、ことを特徴とする。
【手続補正１２】
【補正対象書類名】明細書
【補正対象項目名】００２８
【補正方法】変更
【補正の内容】
【００２８】
特に、シール部材は、一般にインナーリンクプレートと一体となってアウターリンクプレートとの間で摺動するが、第３及び第４のリップ部は、その内径側端面が径方向に対して直交する方向に延び、アウターリンクプレートと、第１及び第３（又は第４）のリップ部との間に形成される凹部（Ｃ１）は大きくとることができ、上記摺動側となる凹部に充分な潤滑剤を保持して、上記屈曲トルク及びシール機能に係る性能を保持することができる。第３及び第４のリップ部の外径側端面は、中央基部側が幅広となるように斜めに形成されているため、アウターリンクプレートと、第４（又は第３）のリップ部及び第２のリップ部とで形成される凹部（Ｃ２）は、比較的小さくなる。該凹部は、シール部材と一体に回転するアウターリンクプレート側にあるので、上記屈曲トルク及びシール機能に係る影響は大きくなく、むしろシール部材、特に中央基部の断面積を増加してシール部材のへたりを防止して、シール部材の寿命を向上する方向で有利に機能する。
【手続補正１３】
【補正対象書類名】明細書
【補正対象項目名】００３８
【補正方法】変更
【補正の内容】
【００３８】
自然状態にあるシール部材１３（１３１，１３２）の断面を図２に示す。図２において、（ａ），（ｂ）は、同じように見えるが、第３及び第４のリップ部の高さ及び傾斜角等において相違している。自然状態にあるシール部材１３は、中央基部１３ｅから内径及び外径方向、左右方向に各リップ部が延びている、断面プラス形状のリングからなり、内径方向に略円形状の第１のリップ部１３ａと、外径方向に略方形状の第２のリップ部１３ｂと、これら第１及び第２のリップ部に直交する左右方向に、幅方向中心線Ｏ−Ｏに対して鏡面対称に形成された第３及び第４のリップ部１３ｃ，１３ｄとを有している。第１のリップ部１３ａは、約２７０度の円弧面ｒ１からなり、その基端側が第３及び第４のリップ部１３ｃ，１３ｄと接続アールｒ２，ｒ２にて滑らかに結ばれている。上記円弧面の半径ｒ１と、第１のリップ部１３ａの接続部の幅ｎと、前記第２のリップ部の幅ｔとは、略等しくなっている（ｒ１≒ｎ≒ｔ、なお、±２０％程度の範囲を略々等しいという）。
【手続補正１４】
【補正対象書類名】明細書
【補正対象項目名】００３９
【補正方法】変更
【補正の内容】
【００３９】
第３及び第４のリップ部１３ｃ，１３ｄは、その内径側端面（第１のリップ部１３ａ側）ｑが前記径方向中心線Ｏ−Ｏに対して直交するように左右方向に延びている。これらリップ部１３ｃ，１３ｄの先端部ｓは、上記中心線Ｏ−Ｏに平行に延び、第２のリップ部１３ｂの幅ｔよりも小さい幅（径方向長さ）又は略々等しい幅ｂからなる。そして、これらリップ部１３ｃ，１３ｄの外径側端面（第２のリップ部１３ｂ側）ｕは、先端部ｓから中央基部１３ｅに向って幅が拡がる方向の所定勾配αで延び、第２のリップ部１３ｂとアールｒ３にて接続している。従って、第３及び第４のリップ部１３ｃ，１３ｄは、その内径側と外径側とが非対称となっており、その外径側面ｕ，ｒ３が、先端から中央基部１３ｅに向うに従って漸次幅広となるような面（形状）からなる。
【手続補正１５】
【補正対象書類名】明細書
【補正対象項目名】００４１
【補正方法】変更
【補正の内容】
【００４１】
そして、シール部材１３は、その中央基部１３ｅの対角線距離ｚ（円弧面ｒ２とｒ３とを結ぶ最小長さ）が前記シールチェーン１１のクリアランスｉに対して０．８〜１．０の範囲、好ましくは０．９１〜１．０の範囲に設定されている（０．８ｉ＜ｚ＜１．０ｉ、好ましくは０．９１ｉ＜ｚ＜１．０ｉ）。また、前記第１のリップ部１３ａの最小部（狭部）の幅ｎが前記クリアランスｉの６０％以下になるように設定されている（ｎ≦０．６ｉ）。更に、第３及び第４のリップ部１３ｃ，１３ｄの先端幅ｂと第１のリップ部１３ａの直径（幅）２ｒ１との和が、上記クリアランスｉの８０％〜１６０％の範囲になるように設定されている［０．８ｉ≦（ｂ＋２ｒ１）≦１．６ｉ、好ましくはｉ≦（ｂ＋２ｒ１）≦１．６ｉ］。
【手続補正１６】
【補正対象書類名】明細書
【補正対象項目名】００４７
【補正方法】変更
【補正の内容】
【００４７】
ついで、図３に沿って、上記シール部材１３をチェーンに装着する状態、並びにチェーンに装着された後のシール部材１３’について説明する。シール部材１３は、自然状態にあっては断面十字状からなり、かつブシュ１７の突出部７ａの先端外周面１７ｂはテーパ又は円弧面となっている。
【手続補正１７】
【補正対象書類名】明細書
【補正対象項目名】００４８
【補正方法】変更
【補正の内容】
【００４８】
まず、自然状態にあるシール部材１３は、その第１のリップ部１３ａがブシュ突出部１７ａの先端部ｆに当接した状態にあり、アウターリンクプレートからの押圧力により、第１のリップ部１３ａを変形しつつ、第４のリップ部１３ｄの内径側端面ｑをブシュ突出部１７ａの外周面に沿わせつつ、インナーリンクプレート１６に向けて移動する。この際、アウターリンクプレートからの押圧力は、第３のリップ部１３ｃが内径側が垂直面ｑからなり外径側が所定勾配の漸増面ｕからなるため、該リップ部１３ｃの内径側と外径側では、ゴムからなるシール部材の強度が相違し、内径側では容易に変形して力を伝達しないのに対し、外径側では変形が少なく、上記押圧力を伝達する。これにより、アウターリンクプレートに基づく第３のリップ部１３ｃに作用する応力（押圧伝達力）が図面に示すように相違し、その合力Ｆが外径側に偏倚した位置に外径方向に斜めに作用する。従って、第１のリップ部１３ａがブシュ突出部先端ｆに当接してシール部材１３が回転する際、第１のリップ部１３ａは比較的容易に変形するので、シール部材を回転させようとする、特に中央基部１３ｅに作用するモーメントは、第４のリップ部１３ｃの内径側円弧面ｒ２が回転支点ｅとなるモーメントＦ・ｌとなり、該モーメントは、従来のシール部材（図８参照）より大きくなり、第３のリップ部１３ｃの内径側端先端ｊをｊ’に引き伸ばすエネルギーに打勝って、シール部材１３は、確実に回転して捩られ、１３’に示すようにＸ字状のシール部材となる。なお、この際、例え第４のリップ部１３ｄ先端面ｋとインナーリンクプレート１６までの距離ｇが短く、シール部材１３が回転するための距離が足りずに、シール部材が完全に回転せずに、リップ部１３ｄの先端面ｋがインナーリンクプレート１６に接した場合でも、リップ部１３ｄの受ける反力は内径側と外径側で異なるため、シール部材１３は、確実に回転する。
【手続補正１８】
【補正対象書類名】明細書
【補正対象項目名】００４９
【補正方法】変更
【補正の内容】
【００４９】
チェーンが組立てられた状態のＸ字状のシール部材１３’は、第３のリップ部１３ｃ’の内径側先端エッジｊ’（ｊ→ｊ’）が引き伸ばされて、その内径側端面ｑ’がアウターリンクプレート１８に密接し、また第１のリップ部１３ａ’が変形してブシュ突出部テーパ又は円弧面１７ｂとアウターリンクプレート１８との間に密接する。該第１のリップ部１３ａ’は、圧縮変形して、ブシュ先端ｆとアウターリンクプレート１８との間を密閉して、ピンとブシュとの間の軸受空間に注入されている潤滑剤を封入するが、該第１のリップ部１３ａの直径（幅）２ｒ１は比較的大きくかつ円形面からなるので、ブシュ先端とアウターリンクプレートとの間に楔状に喰込むことはない。
【手続補正１９】
【補正対象書類名】明細書
【補正対象項目名】００５１
【補正方法】変更
【補正の内容】
【００５１】
そして、シール部材の中央基部１３ｅ’の対角線長さｚ’は、自然状態の対角線長さｚと引っ張られる関係で僅かに減るとしても略々同じであり、該対角線長さｚ’が両リンクプレート１６，１８のクリアランスｉに対して０．８〜１．０の範囲に設定されているので（０．８ｉ≦ｚ’≦ｉ）、第１のリップ部１３ａ’及び第３のリップ部１３ｃ’とアウターリンクプレート１８との間に、所定の油溜り空間である環状凹部Ｃ１を形成すると共に、第４のリップ部１３ｄ’及び第２のリップ部１３ｂ’とインナーリンクプレート１６との間に、所定の油溜り空間である環状凹部Ｃ２を形成する。上記凹部Ｃ１は、第３のリップ部１３ｃの垂直面からなる内径側端面ｑに起因するので、比較的大きな空間となり、かつ上記凹部Ｃ２は、第３のリップ部１３ｃのテーパ面等からなる外径側端面ｕに起因するので、比較的小さな空間からなる。
【手続補正２０】
【補正対象書類名】明細書
【補正対象項目名】００５６
【補正方法】変更
【補正の内容】
【００５６】
なお、上述説明は、シールチェーン１１の上半部分で説明したので、第３のリップ部１３ｃがアウターリンクプレート１８に接触し、第４のリップ部１３ｄがインナーリンクプレート１６に接触するが、チェーンの下半部分にあっては、当然に、第３のリップ部１３ｃがアウターリンクプレート１８に、第４のリップ部１３ｄがインナーリンクプレート１６にそれぞれ接触する。この場合においても、シール部材１３は、中央線Ｏ−Ｏに対して鏡面対称となっているので、同じ機能・作用を奏する。
【手続補正２１】
【補正対象書類名】明細書
【補正対象項目名】００５８
【補正方法】変更
【補正の内容】
【００５８】
一般に、摩擦面積の関係で、シール部材１３’は、インナーリンク２０と一体に移動し、アウターリンクプレート１８と相対移動する。シール部材１３’の第１のリップ部１３ａ’及び第３のリップ部１３ｃ’とアウターリンクプレート１８の相対移動（摺動）は、上記軸受空間の潤滑剤が僅かずつ漏れることにより、またシール部材１３’の装着時に封入される凹部Ｃ１の潤滑剤が僅かずつ摺動面に浸入することにより、大きな摩擦抵抗を生ずることがない。同時に、第１のリップ部１３ａ’及び第３のリップ部１３ｃ’は、シール部材装着時の変形により、アウターリンクプレート１８に密着しているので、潤滑剤は、早期に漏出することはなく、かつシール部材１３’は、比較的大きな断面積、特に中央基部１３ｅ’の断面積を有するので、早期にへたることはなく、シール機能を長期に亘って維持できる。
【手続補正２２】
【補正対象書類名】明細書
【補正対象項目名】００６６
【補正方法】変更
【補正の内容】
【００６６】
１１          シールチェーン
１２          ピン
１３，１３１，１３２          シール部材
１３ａ        第１のリップ部
１３ｂ        第２のリップ部
１３ｃ        第３のリップ部
１３ｄ        第４のリップ部
１３ｅ        中央基部
１６          インナーリンクプレート
１７          ブシュ
１７ａ        ブシュ突出部
１８          アウターリンクプレート
１９          アウターリンク
２０          インナーリンク
ｆ          ブシュ突出部先端面
ｉ          両リンクプレートのクリアランス
ｐ          チェーンピッチ
ｑ          内径側端面
ｕ          外径側端面
ｓ          先端部
ｒ１（２ｒ１）        第１のリップ部円弧面（幅）
ｎ          最狭部の幅
ｂ          第３及び第４のリップ部先端部の幅
ｚ          中央基部の対角線距離
α          所定勾配
【手続補正２３】
【補正対象書類名】図面
【補正対象項目名】図２
【補正方法】変更
【補正の内容】
【図２】
2006349086.tif 000001
【手続補正２４】
【補正対象書類名】図面
【補正対象項目名】図３
【補正方法】変更
【補正の内容】
【図３】
2006349086.tif 000002
【手続補正２５】
【補正対象書類名】図面
【補正対象項目名】図６
【補正方法】変更
【補正の内容】
【図６】
2006349086.tif 000003